(57)【要約】      （修正有）【課題】本発明は、特定の区域で使用者の室内位置をリアルタイム測定し、測定された位置情報から使用者の室内動線をモニタリングして、室内動線によって適切なイベントを発生させるリアルタイム位置基盤イベント発生システム及びそれを用いた端末制御方法を提供する。【解決手段】本発明に係るシステムは、室内空間で移動体端末の位置または移動を感知する少なくとも一つの位置認識装置である移動端末及び少なくとも一つの位置認識装置を通して感知した移動体端末の位置情報を収集して前記室内空間に対応するデジタル地図マップとマッチングさせ、収集した移動体端末の位置情報から移動体の室内動線を分析し、室内動線によるイベント情報を前記移動体端末に提供するサービス提供サーバーを含む。【選択図】図１
2016181896.tif 000002
【特許請求の範囲】
【請求項１】
移動体端末；
室内空間で前記移動体端末の位置を感知する少なくとも一つの位置認識装置；及び
前記少なくとも一つの位置認識装置を通して感知した移動体端末の位置情報を収集して前記室内空間に対応するデジタル地図マップとマッチングさせ、前記収集した移動体端末の位置情報から移動体の室内動線を分析し、前記室内動線によるイベント情報を前記移動体端末に提供するサービス提供サーバー
を含む、リアルタイム位置基盤イベント発生システム。
【請求項２】
前記サービス提供サーバーは、
前記収集した移動体端末の位置情報から室内動線の方向または速度を分析し、前記室内動線の方向または速度によって前記イベント情報を異なるように提供する、請求項１に記載のリアルタイム位置基盤イベント発生システム。
【請求項３】
前記サービス提供サーバーに接続し、前記室内空間に位置または移動する移動体端末の履歴を照会及び管理するための管理者端末
をさらに含む、請求項１に記載のリアルタイム位置基盤イベント発生システム。
【請求項４】
前記移動体端末は、
前記サービス提供サーバーに時間帯別位置情報の照会を要請し、前記要請によって前記サービス提供サーバーからデジタル地図情報と共に前記時間帯別位置情報を受信して前記デジタル地図マップ上に表示することを特徴とする、請求項１に記載のリアルタイム位置基盤イベント発生システム。
【請求項５】
前記サービス提供サーバーは、
前記移動体端末または管理者端末から位置情報の照会要請を受信し、前記照会要請により前記収集した移動体端末の位置情報から照会条件に合う位置情報または前記位置情報に対応する位置座標値を室内地図ＤＢに定義された座標に基づいて照会し、前記移動体端末または前記管理者端末に提供する照会部をさらに含むことを特徴とする、請求項１に記載のリアルタイム位置基盤イベント発生システム。
【請求項６】
前記照会部は、
前記位置情報に対して、使用者の動線現況、分布現況、日付別、時間帯別、位置別、所属グループ別、移動体別に区分して照会可能なインターフェース画面を提供することを特徴とする、請求項５に記載のリアルタイム位置基盤イベント発生システム。
【請求項７】
前記イベント情報は、
警告または案内情報を含むプッシュメッセージ、前記移動体端末の動作を制御するための制御信号、関連コンテンツを再生するためのコンテンツ情報のうち一つを含むことを特徴とする、請求項１に記載のリアルタイム位置基盤イベント発生システム。
【請求項８】
室内空間に位置する少なくとも一つの位置認識装置が移動体端末の位置を感知するステップ；
サービス提供サーバーが前記少なくとも一つの位置認識装置を通して感知した移動体端末の位置情報を受信して収集するステップ；
前記サービス提供サーバーが収集した移動体端末の位置情報を、室内地図ＤＢに定義された座標に基づいて前記室内空間に対応するデジタル地図マップ上にマッチングさせるステップ；及び
前記サービス提供サーバーが収集した移動体端末の位置情報から移動体の室内動線を分析し、前記室内動線によるイベント情報を前記移動体端末に発生させるステップ
を含む、リアルタイム位置基盤イベント発生システムを用いた端末制御方法。
【請求項９】
前記移動体の室内動線を分析し、前記室内動線によるイベント情報を前記移動体端末に発生させるステップでは、
前記サービス提供サーバーが前記収集した移動体端末の位置情報から室内動線の方向、速度を分析し、前記室内動線の方向または速度によって前記イベント情報を異なるように提供することを特徴とする、請求項８に記載のリアルタイム位置基盤イベント発生システムを用いた端末制御方法。
【請求項１０】
前記サービス提供サーバーが前記移動体端末または管理者端末から位置情報の照会要請を受信し、前記照会要請により前記収集した移動体端末の位置情報から照会条件に合う位置情報または前記位置情報に対応する位置座標値を室内地図ＤＢに定義された座標に基づいて照会し、前記移動体端末または前記管理者端末に提供するステップ
をさらに含むことを特徴とする、請求項８に記載のリアルタイム位置基盤イベント発生システムを用いた端末制御方法。
【発明の詳細な説明】
【技術分野】
【０００１】
本発明は、使用者のリアルタイム位置を測定し、室内移動パターンによってイベントを発生するリアルタイム位置基盤イベント発生システム及びそれを用いた端末制御方法に関する。
【背景技術】
【０００２】
位置基盤サービスは、ＧＰＳ（Ｇｌｏｂａｌ  Ｐｏｓｉｔｉｏｎｉｎｇ  Ｓｙｓｔｅｍ）等の衛星基盤の位置確認受信端末を用いて現在の位置情報を追跡することができるサービスである。
【０００３】
近来は、位置基盤サービスを利用して道の案内、周囲情報案内、交通情報、物流管制、救助要請、犯罪申告対応等の様々な応用分野に適用し、位置基盤付加サービスを提供している。
【０００４】
先ず、位置基盤サービスを提供するためには、位置確認受信端末の位置を把握することが必須である。ところが、既存の衛星基盤の位置確認受信端末は、室内、トンネル、地下駐車場や都心地域等、衛星信号が微弱な地域では、位置情報を提供することができない問題点がある。
【０００５】
このような問題点を解決するために、衛星信号が微弱な室内地域において、無線ＬＡＮ（ＷＬＡＮ）、超広帯域無線通信（ＵＷＢ）、ジグビー（ｚｉｇｂｅｅ）、ブルートゥース（ｂｌｕｅｔｏｏｔｈ（登録商標））、ＲＦＩＤ等の近距離無線通信を利用した無線測位方法が多く研究及び開発されている。
【先行技術文献】
【特許文献】
【０００６】
【特許文献１】韓国公開特許公報第１０−２０１３−００８９１３６号（発明の名称：室内収集位置と異種インフラ測定情報を収集する装置及び方法、公開日：２０１３年０８月０９日）
【発明の概要】
【発明が解決しようとする課題】
【０００７】
本発明は、特定の区域で使用者の室内位置をリアルタイム測定し、測定された位置情報から使用者の室内動線をモニタリングして、室内動線によって適切なイベントを発生させるリアルタイム位置基盤イベント発生システム及びそれを用いた端末制御方法を提供することにその目的がある。
【０００８】
また、本発明の他の目的は、リアルタイム位置基盤イベント発生システムで発生したイベントに基づいて使用者の端末を制御することで、出入統制はもちろん、機密流出関連保安管理、健康診断案内サービス、ターゲットマーケティング等を提供しようとすることにある。
【課題を解決するための手段】
【０００９】
このために、本発明の実施例に係るリアルタイム位置基盤イベント発生システムは、移動体端末；室内空間で前記移動体端末の位置を感知する少なくとも一つの位置認識装置；及び、前記少なくとも一つの位置認識装置を通して感知した移動体端末の位置情報を収集して前記室内空間に対応するデジタル地図マップとマッチングさせ、前記収集した移動体端末の位置情報から移動体の室内動線を分析し、前記室内動線によるイベント情報を前記移動体端末に提供するサービス提供サーバーを含む。
【００１０】
また、前記サービス提供サーバーは、前記収集した移動体端末の位置情報から室内動線の方向、速度を分析し、前記室内動線の方向または速度によって前記イベント情報を異なるように提供することができる。
【００１１】
また、本発明の実施例に係るリアルタイム位置基盤イベント発生システムは、前記サービス提供サーバーに接続し、前記室内空間に位置または移動する移動体端末の履歴を照会及び管理するための管理者端末をさらに含むことができる。
【００１２】
このとき、前記移動体端末は、前記サービス提供サーバーに時間帯別位置情報の照会を要請し、前記要請によって前記サービス提供サーバーからデジタル地図情報と共に前記時間帯別位置情報を受信して前記デジタル地図マップ上に表示することを特徴とする。
【００１３】
また、前記少なくとも一つの位置認識装置は、ワイファイアクセスポイント（ＷｉＦｉ  ＡＰ）、ブルートゥースアクセスポイント（Ｂｌｕｅｔｏｏｔｈ  ＡＰ）、ＲＦＩＤ（Ｒａｄｉｏ  Ｆｒｅｑｕｅｎｃｙ  ＩＤｅｎｔｉｆｉｃａｔｉｏｎ）、ジグビー（ｚｉｇｂｅｅ）、ジャイロセンサ、加速度センサ、カメラのうち一つ以上を含むことができる。
【００１４】
また、前記サービス提供サーバーは、前記少なくとも一つの位置認識装置を通して感知した位置情報を位置情報ＤＢに収集する位置情報収集部、前記位置情報収集部を通して収集した位置情報を室内地図ＤＢに定義された座標に基づいて位置座標値を算出し、算出された位置座標値を前記室内空間に対応するデジタル地図マップ上にマッチングして提供する位置座標算出部、及び前記位置情報収集部を通して収集した移動体端末の位置情報から使用者の室内動線を分析し、前記室内動線によるイベント情報を照会して前記移動体端末に提供する位置基盤イベント発生部を含むことができる。
【００１５】
また、前記サービス提供サーバーは、前記移動体端末または管理者端末から位置情報の照会要請を受信し、前記照会要請により前記収集した移動体端末の位置情報から照会条件に合う位置情報または前記位置情報に対応する位置座標値を室内地図ＤＢに定義された座標に基づいて照会し、前記移動体端末または前記管理者端末に提供する照会部をさらに含むことができる。
【００１６】
また、前記照会部は、前記位置情報に対して、使用者の動線現況、分布現況、日付別、時間帯別、位置別、所属グループ別、移動体別に区分して照会可能なインターフェース画面を提供する。
【００１７】
また、前記イベント情報は、警告または案内情報を含むプッシュメッセージ、前記移動体端末の動作を制御するための制御信号、関連コンテンツを再生するためのコンテンツ情報のうち一つを含むことができる。
【００１８】
一方、本発明の実施例に係るリアルタイム位置基盤イベント発生システムを用いた端末制御方法は、室内空間に位置する少なくとも一つの位置認識装置が移動体端末の位置を感知するステップ；サービス提供サーバーが前記少なくとも一つの位置認識装置を通して感知した移動体端末の位置情報を受信して収集するステップ；前記サービス提供サーバーが収集した移動体端末の位置情報を、室内地図ＤＢに定義された座標に基づいて前記室内空間に対応するデジタル地図マップ上にマッチングさせるステップ；及び、前記サービス提供サーバーが収集した移動体端末の位置情報から移動体の室内動線を分析し、前記室内動線によるイベント情報を前記移動体端末に発生させるステップを含む。
【００１９】
また、前記サービス提供サーバーが収集した移動体端末の位置情報を前記デジタル地図マップ上にマッチングさせるステップは、前記サービス提供サーバーが前記収集した移動体端末の位置情報を室内地図ＤＢに定義された座標に基づいて位置座標値を算出するステップ；前記サービス提供サーバーが算出された位置座標値を前記デジタル地図マップにマッチングさせるステップを含むことができる。
【００２０】
また、本発明の実施例に係る制御方法は、前記サービス提供サーバーが前記移動体端末または管理者端末から位置情報の照会要請を受信し、前記照会要請により前記収集した移動体端末の位置情報から照会条件に合う位置情報または前記位置情報に対応する位置座標値を室内地図ＤＢに定義された座標に基づいて照会し、前記移動体端末または前記管理者端末に提供するステップをさらに含むことができる。
【００２１】
また、前記イベント情報は、警告または案内情報を含むプッシュメッセージ、前記移動体端末の動作を制御するための制御信号、関連コンテンツを再生するためのコンテンツ情報のうち一つを含むことができる。
【００２２】
また、本発明の実施例に係る制御方法は、前記移動体端末が前記サービス提供サーバーから受信したイベント情報によりプッシュメッセージを出力して警告または案内するか、関連アプリを実行するか、前記移動体端末の動作を制御するか、または関連コンテンツを再生するステップをさらに含むことができる。
【発明の効果】
【００２３】
このような本発明によると、リアルタイム位置追跡で使用者の室内動線を把握し、室内動線によって適切なイベントを発生することにより、特定の区域に対する保安、管制等、統合管理が可能となる。
【００２４】
また、イベント発生によって移動体端末を統制または制御するので、特定の区域に対する出入統制はもちろん、機密流出関連保安管理、案内サービス、ターゲットマーケティング等を提供することができ、障害またはイシュー発生の際、直ちに対応が可能な効果がある。例えば、特定の区域の出入口に使用者が入場する動線が感知されると、保安のために使用者側モバイル端末のカメラ動作をオフさせ、退場する動線の場合は、保安を解除して使用者側モバイル端末のカメラを動作させることができる。
【００２５】
また、管理者の立場では、時間帯別、地域（位置）別の移動体の活動分析を通して出入統制や安全管理等の経営方針を設けることができる。
【００２６】
また、本発明のシステムは、病院で診断関連診療案内メッセージを提供することができ、博物館では、移動体端末のカメラ動作を自動遮断することにより、観客の端末を統合制御するソリューションを提供することができる。その他、製鉄所、ショッピングモール、空港、事務室、学校、図書館等、様々な分野に合うイベント情報を設定して適用することができるので、システムの大きな変動なしにその活用範囲が広い利点がある。
【図面の簡単な説明】
【００２７】
【図１】本発明の実施例に係るリアルタイム位置基盤イベント発生システムを示した構成図。
【図２】本発明の実施例に係るシステムに適用されるサービス提供サーバーの細部構成図。
【図３】本発明の実施例に係るシステムで座標を基準に地図上にマッチングさせる方法を説明するための図。
【図４】本発明の実施例に係るリアルタイム位置基盤イベント発生システムを用いたモバイル機器制御方法を説明するための全体フローチャート。
【図５】本発明の実施例に係る方法でサービス提供装置での動作を具体的に説明するためのフローチャート。
【図６】本発明の実施例に係る方法でサービス提供装置での動作を具体的に説明するためのフローチャート。
【発明を実施するための形態】
【００２８】
本明細書において用いられる技術的用語は、単に、特定の実施例を説明するために用いられたものであって、本発明を限定しようとする意図ではないことに留意すべきである。また、本明細書において用いられる技術的用語は、本明細書で特に異なる意味で定義されない限り、本発明の属する技術の分野における通常の知識を有する者によって一般的に理解される意味に解釈されるべきであり、過度に包括的な意味に解釈されるか、または過度に縮小された意味に解釈されてはならない。
【００２９】
また、本明細書において用いられる単数の表現は、文脈上、明らかに相違するように意味しない限り、複数の表現を含む。本出願において、「構成される」または「含む」等の用語は、明細書上に記載の様々な構成要素、または様々なステップを必ず全て含むものと解釈されてはならず、そのうち一部の構成要素または一部のステップは含まれないこともあり、または、さらなる構成要素またはステップをさらに含むことができるものと解釈されるべきである。
【００３０】
以下、添付の図面を参照して、本実施例を詳細に説明する。
【００３１】
図１は、本発明の実施例に係るリアルタイム位置基盤イベント発生システムを示した構成図である。
【００３２】
本発明の実施例に係るリアルタイム位置基盤イベント発生システム（以下、システムと称する）は、移動体端末１００、少なくとも一つの位置認識装置２００、サービス提供サーバー３００を含んで具現することができる。
【００３３】
移動体端末１００は、移動体が所持する端末であって、特に、移動体が人（使用者）である場合、モバイル端末を含むことができる。本実施例においては、説明の便宜上、使用者と移動体を混用し、使用者（人）が移動体である場合を例に挙げて説明する。しかし、これに限定するものではなく、移動体は、人の他に動物、車両等も含まれ得る。
【００３４】
また、移動体端末１００は、内部に通信機器、電子機器が含まれた端末を意味するが、これに限定されることはない。即ち、移動体端末１００は、少なくとも一つの位置認識装置２００にセンシングが可能な通信手段が含まれれば、その種類及び形態に関係なく適用可能である。例えば、ブレスレットやカード形態、社員証等を含むことができる。
【００３５】
少なくとも一つの位置認識装置２００は、任意の室内空間Ａに設けられ、移動体端末１００の位置を感知する。このような位置認識装置２００は、通信可能な領域、信号強度等によって複数個で備えることができる。
【００３６】
少なくとも一つの位置認識装置２００は、二次元的な測位はもちろん、必要に応じて二つ以上のセンサを利用し、三次元の測位を感知することもできる。
【００３７】
例えば、少なくとも一つの位置認識装置２００は、ワイファイアクセスポイント（ＷｉＦｉ  ＡＰ）、ブルートゥースアクセスポイント（Ｂｌｕｅｔｏｏｔｈ  ＡＰ）、ＲＦＩＤ（Ｒａｄｉｏ  Ｆｒｅｑｕｅｎｃｙ  ＩＤｅｎｔｉｆｉｃａｔｉｏｎ）、ジグビー（ｚｉｇｂｅｅ）、ジャイロセンサ、加速度センサ、カメラのうち一つ以上を含む。
【００３８】
最近、ブルートゥース４世代であるブルートゥース低電力（Ｂｌｕｅｔｏｏｔｈ  Ｌｏｗ  Ｅｎｅｒｇｙ：ＢＬＥ）（別称「ビーコン」と称する）方式が導入されるにつれ、本実施例における少なくとも一つの位置認識装置２００は、ブルートゥース低電力方式を用いたアクセスポイントを適用することができる。このようなブルートゥース低電力方式は、室内での近距離測位機能を強化した技術であって、５〜１０ｃｍ単位の区別が可能であるほど正確性が高く、既存のＧＰＳ方式より精巧な位置把握が可能であり、バッテリーの消耗量も少ないという長所がある。
【００３９】
サービス提供サーバー３００は、少なくとも一つの位置認識装置２００を通して感知した位置情報を収集し、収集した位置情報に対して座標を算出して室内地図情報とマッチングさせる。従って、サービス提供サーバー３００は、使用者または管理者の要請により使用者の位置情報を室内地図上に表示し、視覚的に容易に確認が可能であるように提供することができる。
【００４０】
このとき、座標は、二次元または三次元で算出が可能であり、算出方法は、基本的に移動体端末１００の信号強度またはジャイロセンサ等を利用することができる。
【００４１】
また、サービス提供サーバー３００は、収集した位置情報から移動体の室内動線を分析する。そして、分析した室内動線によってイベント情報を発生し、移動体端末１００に伝送する。このとき、サービス提供サーバー３００は、収集した位置情報から室内動線の方向、速度を分析することができる。特に、室内動線の方向は、少なくとも一つの位置認識装置２００を通して感知された順序により分かり、水平方向（二次元）または垂直方向（三次元）は、少なくとも一つの位置認識装置２００から感知した二次元または三次元測位により分析することができる。
【００４２】
従って、サービス提供サーバー３００は、室内動線の方向または速度によって前記イベント情報を異なるように提供することができる。例えば、移動体が走る場合、それと連動してイベント情報を速く伝送できなければならない。
【００４３】
一方、移動体端末１００は、サービス提供サーバー３００から受信したイベント情報により、プッシュメッセージを出力して警告または案内するか、移動体端末１００内の定められた動作を中止または稼動させるか、関連アプリを実行するか、または関連コンテンツを再生することができる。
【００４４】
従って、移動体端末１００は、使用者の室内動線（位置移動）によって該当イベント情報をリアルタイム受信して行うことにより、使用者に有用な情報を伝達する。
【００４５】
また、移動体端末１００は、サービス提供サーバー３００に位置情報の照会を要請し、前記要請によってサービス提供サーバー３００から座標値を含む位置情報を受信して室内地図と共に表示することにより、自身の位置をリアルタイム把握することができる。
【００４６】
一方、本発明のシステムは、サービス提供サーバー３００に接続し、室内空間に位置または移動する移動体端末１００の履歴を照会及び管理する管理者端末４００をさらに含むことができる。
【００４７】
管理者端末４００は、定められた室内空間に対してリアルタイムモニタリングが可能であり、統制人員、時間帯別使用者動線現況、保安政策や安全、案内サービス等と関連した管理政策等を設定及び管理、照会することができる。そして、管理者端末４００は、情報照会を通してサービス提供サーバー３００から関連ログをタイムリー（ｔｉｍｅｌｙ）に提供を受けることで、統計、分析の基礎資料として活用が可能である。
【００４８】
例えば、管理者端末４００は、少なくとも一つの位置認識装置２００を通して測定された位置情報に対して、使用者の動線現況、分布現況、日付別（月／日）、時間帯別（００時から００時）、位置別（区域１、２、３等）、所属グループ別（部署名等）、移動体別（使用者１、２、３）等と条件を設定して照会できるインターフェース画面を提供し、それを通して関連ログをタイムリーに提供を受けることができる。そのインターフェース画面については、後述する。
【００４９】
図２は、本発明の実施例に係るシステムに適用されるサービス提供サーバーの細部構成図であり、図３は、本発明の実施例に係るシステムで座標を基準に地図上にマッチングさせる方法を説明するための図である。
【００５０】
具体的には、本発明の実施例に係るサービス提供サーバー３００は、図２に示したように、位置情報収集部３１０、位置座標算出部３２０、位置基盤イベント発生部３３０、照会部３４０、位置情報統計部３５０、位置情報ＤＢ３６２、室内地図ＤＢ３６４、イベントＤＢ３６６を含む。
【００５１】
位置情報ＤＢ３６２、室内地図ＤＢ３６４、イベントＤＢ３６６は、理解の便宜を助けるために、別個の独立した構成で示したが、実際の具現ステップでは、一つのデータベースサーバー３６０に設けられて統合管理されてもよい。
【００５２】
位置情報収集部３１０は、少なくとも一つの位置認識装置を通して感知した位置情報を受信し、位置情報ＤＢ３６２に収集する。
【００５３】
位置座標算出部３２０は、位置情報収集部３１０を通して収集した位置情報を室内地図ＤＢ３６４に定義された座標に基づいて位置座標値を算出し、算出された位置座標値をデジタル地図マップ上にマッチングして提供する。このとき、位置座標算出部３２０は、少なくとも一つの位置認識装置（図１の２００）を通して感知した移動体端末の信号強度を利用して座標を算出することができる。
【００５４】
一例として、図３に示したように、室内空間に対応するデジタル地図に一定の間隔の垂直格子と水平格子を含むグリッド方式の座標を定義し、定義された座標上に垂直格子と水平格子が交差する点（Ｐ１乃至Ｐ４）を基準に各位置認識装置（図１の２００）の位置情報を確認する。各位置認識装置（図１の２００）の位置情報で各位置認識装置（図１の２００）から伝送される信号の強度を計算し、垂直格子と水平格子が交差する点のうち該当点を使用者の位置座標として算出することができる。
【００５５】
このようなデジタル地図マップは、室内地図ＤＢ３６４に格納される。
【００５６】
位置基盤イベント発生部３３０は、位置情報収集部３１０を通して収集した位置情報に基づいて室内動線を分析し、室内動線によるイベント情報が存在するかをイベントＤＢ３６６に照会する。照会を通して検索されたイベント情報を移動体端末に提供する。
【００５７】
このとき、位置基盤イベント発生部３３０は、室内動線の方向、速度を分析し、分析した室内動線の方向または速度によって前記イベント情報を異なるように提供する。例えば、特定の空間に入室または退室する場合のように、室内動線の方向が変わることによってイベント情報を相違するように提供することができ、室内動線の速度が速ければ、それと相応するようにイベント情報を速やかに、または優先的に処理して提供するようにする。
【００５８】
イベント情報の種類には、警告または情報伝達のための内容が含まれたプッシュメッセージ（ｐｕｓｈ  ｍｅｓｓａｇｅ）、移動体端末の機器動作を遮断または許容する制御信号、関連アプリを実行するための制御信号、関連コンテンツを再生するためのコンテンツ情報（ｍｅｄｉａ  ｃｏｎｔｅｎｔｓ）等のうち一つ以上を含むことができる。関連コンテンツとしては、教育資料、会社広報動画、個人情報保護同意書、保安教育資料、診断方法案内資料等を含むことができる。
【００５９】
例えば、特定の室内空間の出入口に使用者が入場する動線が感知される場合、位置基盤イベント発生部３３０は、移動体端末のカメラ動作をオフさせるための制御信号をイベント情報として発生し、出入口から退場する動線が感知されると、保安を解除し、移動体端末のカメラを動作させるための制御信号を発生することができる。
【００６０】
または、健康診断センターで使用者が特定の検査室に近く接近する動線が感知される場合、位置基盤イベント発生部３３０が、移動体端末に該当特定の検査室での診断対象であるか否かを確認するプッシュメッセージをイベント情報として発生し、診断対象である場合、特定の検査室での検査方法に関するコンテンツをさらなるイベント情報として発生することができる。また、特定の検査室で検査を終了し、次に移動する動線が感知される場合、位置基盤イベント発生部３３０は、移動体端末に近くの次の検査室を案内するプッシュメッセージをイベント情報として発生することができる。
【００６１】
イベント情報は、室内空間の位置及び方向によって相違するように設定できるが、その他、使用者の区分（例えば、訪問者、役職員等）、所属グループ、出入時刻、管理政策（保安等級、安全数値）等によっても相違するように設定することができる。
【００６２】
照会部３４０は、移動体端末または管理者端末から位置情報の照会要請を受信し、位置情報収集部３１０を通して収集した位置情報または位置座標算出部３２０を通して算出した位置座標値を照会し、照会条件に合う位置情報または照会条件に合う位置情報と対応する位置座標値を移動体端末（図１の１００）または管理者端末（図１の４００）に提供する。
【００６３】
このとき、照会部３４０は、使用者の動線現況、分布現況、日付、時間帯別、位置、所属グループ、移動体別等、様々な条件付きによって照会が可能であるようにインターフェース画面を提供する。
【００６４】
インターフェース画面は、サービス提供サーバー３００と関連したウェブページを通して提供することができ、または一つのアプリケーションで具現して移動体端末（図１の１００）または管理者端末（図１の４００）に配布することで提供することができる。この場合、移動体端末（図１の１００）または管理者端末（図１の４００）は、関連のアプリケーションをそれぞれ端末にダウンロードし、アプリケーションの実行でインターフェース画面を提供する。
【００６５】
また、照会部３４０は、少なくとも一つの位置認識装置（図１の２００）を通して感知した位置情報に対して、使用者の動線現況、分布現況等に関する統計及び分析資料を照会し、それを位置情報統計部３５０を通して伝達を受けて提供することができる。
【００６６】
位置情報統計部３５０は、少なくとも一つの位置認識装置（図１の２００）を通して感知した位置情報に対し、使用者の動線現況、分布現況、統制人員、使用者政策適用現況、時間帯別使用者現況等に関する情報を統計及び分析する。
【００６７】
以下、本発明の実施例に係る管理者端末で提供されるインターフェース画面（統合管理画面、端末情報画面、位置監視ログ照会画面、位置照会画面、政策管理画面）について説明する。
【００６８】
本発明の実施例は、管理者端末で統合管理画面を提供する。
【００６９】
統合管理画面には、統制人員現況、危険統制監視現況率、使用者分布現況、時間帯別使用者現況、コンテンツ提供現況、使用者政策適用現況、地域（位置）別訪問分布現況、地域政策別訪問分布現況等に関する統計情報を簡略に提供する。
【００７０】
このような統合管理画面を通して、管理者は、本サービスのイシュー状況を一目で確認することができ、特定の室内空間に対してリアルタイムモニタリングが可能であることはもちろん、統合管理が可能となる。
【００７１】
このための統合管理画面は、ログインを通して使用者認証を経た管理者に限って提供され得る。
【００７２】
本発明の実施例は、管理者端末での端末情報画面を提供する。
【００７３】
端末情報画面は、移動体端末に対する情報を提供する画面であって、本サービスを利用するために、移動体端末の登録が行われると、登録された各移動体端末別にデータ管理がなされ、管理者端末は、端末情報画面を通して移動体端末別に履歴を確認することができる。
【００７４】
端末情報画面には、端末登録過程で移動体端末及び移動体に関して入力された詳細情報と、室内空間により定義された政策が適用された履歴情報、室内空間により定義された政策によってコンテンツを提供した履歴情報、現在の移動体端末位置情報等を含むことができる。
【００７５】
詳細情報は、移動体名、移動体端末の電話番号、グループ分類、移動体端末のＯＳバージョン、端末モデル、権限等を含むことができる。コンテンツを提供した履歴情報は、提供日時、提供位置、提供コンテンツ名等をリスト化して提供することができる。また、現在の移動体端末位置情報は、室内空間に対応するデジタル地図マップ上に現在の位置をマーキングして提供することができる。
【００７６】
本発明の実施例は、管理者端末での位置監視ログ照会画面を提供する。
【００７７】
位置監視ログ照会画面は、定められた室内空間に対してイシュー状況を監視またはモニタリングするための画面である。
【００７８】
位置監視ログ照会画面は、また管理者端末でログインを通して使用者認証を経て初めて提供可能である。
【００７９】
位置監視ログ照会画面には、室内空間に対して、日時、時間帯別、使用者名等の照会条件を入力する設定領域を含む。そして、設定された条件によって検索された結果を示す検索結果目録と、検索結果目録で詳細情報機能を選択するか否かによって詳細情報を表示する領域を含むことができる。
【００８０】
例えば、２０１４−１１−０５  ０９：３０から１０：００まで特定の区域に位置または移動した使用者現況を検索する位置監視ログ画面を示している。検索結果目録には、設定条件付き（２０１４−１１−０５  ０９：３０から１０：００まで）の間、特定の区域に位置または移動した使用者の電話番号、名前、所属、出入時間、区分（訪問者または役職員等）等を含む情報を提供する。詳細情報を表示する領域には、該当使用者が位置または移動した位置情報、特定の区域で行ったイベント情報を提供する。例えば、「２０１４−１１−０５  ０９：３０  教育室（危険区域）に到着しました。」、「２０１４−１１−０５  ０９：３５  サーバー室（接近禁止区域）にいます。」、「２０１４−１１−０５  ０９：５０  教育室でブルートゥース接近を１回しました。」等と詳細情報を提供することができる。
【００８１】
本発明の実施例は、管理者端末または移動体端末での位置照会画面を提供する。
【００８２】
位置照会画面は、管理者端末または移動体端末に同一に提供され得る。
【００８３】
位置照会画面は、特定の区域、日時、時間帯別、使用者等の照会条件を入力する設定領域、設定された条件によって検索された結果を示す検索結果目録、検索されたリアルタイム位置を、特定の区域を示すデジタル地図マップ上に表示する地図表示領域を含むことができる。地図表示領域には、検索結果目録と同期化して表示される。地図表示領域は、特定の区域に位置した使用者が数人である場合、または特定の区域に位置した使用者が移動した履歴がある場合、それを全て区別して表示することができる。
【００８４】
本発明の実施例は、管理者端末での政策管理画面を提供する。
【００８５】
政策管理画面は、企業内の保安や安全等の管理次元で統制または制御が必要な事項を設定する画面である。
【００８６】
本発明の実施例における政策管理画面では、室内空間で区域別、所属グループや使用者区分によるコンテンツ発生形態を相違するように設定することができる。コンテンツ発生形態としては、到着時ポップアップ方式、到着時動画再生方式、お知らせメッセージ提供方式等を含む。
【００８７】
そして、細部的に、移動体端末のカメラ、ブルートゥース、画面キャプチャー、外部電話、ワイファイ、テザリング、録音、３Ｇデータ、ＵＳＢ連結、無線ＡＰ接続、赤外線通信等の動作を遮断または許容する制御信号を設定することができる。
【００８８】
従って、本発明の実施例においては、以上において説明したようなインターフェース画面を通して使用者が自身の動線履歴をリアルタイム確認できるように提供する一方、管理者の立場では、容易に情報照会、政策設定、履歴管理、統計分析等が可能である。
【００８９】
以上の説明に基づいて、本発明の実施例に係るリアルタイム位置基盤イベント発生方法及びそれを用いた端末制御方法について説明する。
【００９０】
図４は、本発明の実施例に係るリアルタイム位置基盤イベント発生システムを用いたモバイル機器制御方法を説明するための全体フローチャートである。
【００９１】
先ず、サービス提供サーバー３００は、室内空間に設けられた少なくとも一つの位置認識装置２００に対して位置情報を登録し、室内空間に対応するデジタル地図マップを室内地図ＤＢにデータベース化し、位置情報をデジタル地図マップと連係して提供するように具現する。
【００９２】
次のＳ１００のステップにおいて、少なくとも一つの位置認識装置２００が感知できるセンシングの範囲に移動体端末１００が接近するようになると、位置認識装置２００が移動体端末１００の位置または移動を感知する。
【００９３】
感知方式は、位置認識装置２００の種類によって多様である。例えば、位置認識装置２００の種類は、ワイファイアクセスポイント（ＷｉＦｉ  ＡＰ）、ブルートゥースアクセスポイント（Ｂｌｕｅｔｏｏｔｈ  ＡＰ）、ＲＦＩＤ（Ｒａｄｉｏ  Ｆｒｅｑｕｅｎｃｙ  ＩＤｅｎｔｉｆｉｃａｔｉｏｎ）、ジグビー（ｚｉｇｂｅｅ）、ジャイロセンサ、加速度センサ、カメラのうち一つ以上を含む。
【００９４】
次のＳ１１０のステップにおいて、少なくとも一つの位置認識装置２００が感知した移動体端末の位置情報をサービス提供サーバー３００に伝達する。
【００９５】
次のＳ１２０及びＳ１３０のステップにおいて、サービス提供サーバー３００が少なくとも一つの位置認識装置２００から伝達を受けた位置情報をデータベースに収集し、収集した位置情報から室内地図ＤＢに定義された地図座標に基づいて位置座標値を算出する。そして、算出された位置座標値を地図マップ上にマッチングして提供する。
【００９６】
次のＳ１４０のステップにおいて、サービス提供サーバー３００が収集した位置情報に基づいて室内動線の方向または速度を分析し、室内動線によるイベント情報を照会する。
【００９７】
次のＳ１５０のステップにおいて、サービス提供サーバー３００が照会したイベント情報を該当移動体端末１００に伝送することができる。このとき、サービス提供サーバー３００は、分析した室内動線の方向または速度によってイベント情報を選別するか、または異なるように処理して移動体端末１００に提供することができる。
【００９８】
次のＳ１６０のステップにおいて、移動体端末１００は、サービス提供サーバー３００から受信したイベント情報によって端末を制御する。
【００９９】
例えば、Ｓ１７０のステップのように、移動体端末１００が有効情報を含むプッシュメッセージを画面に出力して有効情報を警告または報知することができる。
【０１００】
または、Ｓ１８０のステップのように、移動体端末１００が端末のカメラ、ブルートゥース、画面キャプチャー、外部電話、ワイファイ、テザリング、録音、３Ｇデータ、ＵＳＢ連結、無線ＡＰ接続、赤外線通信等の動作を遮断または許容する制御信号によって動作を制御することができる。
【０１０１】
または、Ｓ１９０のステップのように、移動体端末１００が関連コンテンツを再生することができる。または、関連アプリケーションを実行することができる。関連コンテンツが教育資料、案内資料、広報資料の場合、コンテンツの再生で動作を完了し、関連コンテンツが個人情報保護同意書や使用者のさらなる入力が必要な場合、使用者の入力信号によって関連付加サービスと連動するように動作を行うことができる。
【０１０２】
以下においては、サービス提供サーバーでのイベント発生方法について、図５及び図６を参照して具体的に説明する。参考までに、図２に示したサービス提供サーバーの構成要素を参照して説明する。
【０１０３】
先ず、Ｓ３００のステップにおいて、サービス提供サーバー３００が位置情報収集部３１０において、少なくとも一つの位置認識装置を通して感知した移動体端末の位置情報を受信し、受信した位置情報を位置情報ＤＢに特定の区域に対する履歴情報として収集する。
【０１０４】
次のＳ３１０のステップで、サービス提供サーバー３００が位置座標算出部３２０において、位置情報収集部３１０を通して収集した位置情報を室内地図ＤＢに定義された座標に基づいて位置座標値を算出する。
【０１０５】
次のＳ３２０及びＳ３３０ステップにおいて、サービス提供サーバー３００の位置基盤イベント発生部３３０が、移動体端末の位置座標値に変化があるかを確認し、変化があれば、室内空間で位置移動があるものと見なして位置移動（即ち、動線）パターンをモニタリングする。
【０１０６】
次のＳ３４０のステップにおいて、サービス提供サーバー３００の位置基盤イベント発生部３３０が、移動体端末の室内動線によって適したイベント情報があるのか、イベントＤＢ３６６を照会する。
【０１０７】
以後のＳ３５０のステップにおいて、サービス提供サーバー３００の位置基盤イベント発生部３３０が、照会されたイベント情報を移動体端末に伝送して端末制御を要請することができる。このとき、イベント情報は、室内動線だけでなく、移動体端末の所属グループ、地域、使用者区分により区別して相違するように提供することができる。
【０１０８】
図６は、サービス提供サーバー３００が位置情報を収集するステップ以前に、設定ステップで行われる一連の過程である。
【０１０９】
即ち、サービス提供サーバー３００が保安や安全管理、地域別、所属グループ別、使用者区分によって統制または制御が必要な政策情報を設定することができ（Ｓ３７１）、政策によって位置基盤イベント情報を設定することができ（Ｓ３７２）、イベント情報を伝達する移動体端末に関する情報を設定することができる（Ｓ３７３）。
【０１１０】
政策情報設定ステップ及び位置基盤イベント情報設定ステップ（Ｓ３７１、Ｓ３７２）では、先に説明した図８及び図９に示したインターフェース画面を通して行うことができる。
【０１１１】
以上の説明は、本発明を例示的に説明したものに過ぎず、本発明の属する技術の分野における通常の知識を有する者によって本発明の技術的思想から外れない範囲で様々な変形が可能であるだろう。例えば、病院では、診断関連診療案内メッセージを提供することができ、博物館では、移動体端末のカメラ動作を遮断することで観客の端末を統合制御するソリューションを提供することができる。その他、製鉄所、ショッピングモール、空港、事務室、学校、図書館等、様々な分野に合うイベント情報を設定して適用することができるだろう。
【０１１２】
従って、本発明の明細書に開示された実施例は、本発明を限定するものではない。本発明の範囲は、下記の特許請求の範囲により解釈されるべきであり、それと均等な範囲内にあるあらゆる技術も本発明の範囲に含まれるものと解釈されるべきである。
【符号の説明】
【０１１３】
１００：移動体端末              ２００：少なくとも一つの位置認識装置
３００：サービス提供サーバー    ４００：管理者端末
３１０：位置情報収集部              ３２０：位置座標算出部
３３０：位置基盤イベント発生部      ３４０：照会部
３５０：位置情報統計部              ３６０：データベース
３６２：位置情報ＤＢ                ３６４：室内地図ＤＢ
３６６：イベントＤＢ
【図１】
2016181896.tif 000003
【図２】
2016181896.tif 000004
【図３】
2016181896.tif 000005
【図４】
2016181896.tif 000006
【図５】
2016181896.tif 000007
【図６】
2016181896.tif 000008